(57)【特許請求の範囲】
【請求項１】
カメラレンズ鏡筒の入射光側先端部に設けられるフィルター枠本体は光軸を中心に各種機能を有するフィルターレンズを挟持したフィルター嵌着縁部を有しており、該フィルター嵌着縁部は前記フィルター枠本体の内径部に内蔵され又フィルター枠本体の外周部には前記フィルター嵌着縁部と一体形成されたフィルター外周枠を形成し、該フィルター外周枠の外部側を柔らかい衝撃緩衝機能を有する熱硬化性エラストマー或いは熱可塑性エラストマーにて被覆して外周部カバー部材を形成し、該外周部カバー部材にて前記フィルター枠本体並びにカメラレンズ鏡筒の衝撃緩衝機能を保有すると共にフィルター枠本体をレンズ鏡筒先端部に装着又は取外しする際にフィルター枠本体の前記外周部カバー部材における柔らかい衝撃緩衝機能部を指先で挟持して空回りさせることなく装着及び取外し操作が容易に行えるよう構成したことを特徴とするデジタルカメラ用の多機能付きフィルター枠。
【請求項２】
前記フィルター枠本体はアルミニュウム又は真鍮等の金属製或いは高分子弾性体により成形加工され、該フィルター枠本体のフィルター外周枠に被覆される外周部カバー部材は柔らかい衝撃緩衝機能を有し熱硬化性エラストマーと称される天然ゴム又は合成ゴムを使用し、或いは熱硬化性樹脂系エラストマーと称されるシリコーンゴム又はフッ素ゴムやウレタンゴムを使用し、或いは熱可塑性エラストマーと称されるゴム状弾性体を使用して形成加工されていることを特徴とする請求項１に記載されたデジタルカメラ用の多機能付きフィルター枠。
【請求項３】
前記フィルター枠本体はアルミニュウム又は真鍮等の金属製或いは高分子弾性体により成形加工され、該フィルター枠本体のフィルター外周枠に被覆される外周部カバー部材は柔らかい衝撃緩衝機能を有し熱硬化性エラストマーと称される合成ゴムを使用し、該合成ゴムを溶剤に溶かして液体ゴムを形成し、該液体ゴムをフィルター外周枠の外部側に積層塗布して外周部カバー部材を形成していることを特徴とする請求項１に記載されたデジタルカメラ用の多機能付きフィルター枠。
【請求項４】
前記フィルター枠本体におけるフィルター外周枠の外部側には等分割位置や任意間隔で回転防止用切欠き部が設けられており、該回転防止用切欠き部が設けられた前記フィルター外周枠の外周部には前記外周部カバー部材が塗布又は固着されていることを特徴とする請求項１乃至請求項３のいずれかに記載されたデジタルカメラ用の多機能付きフィルター枠。
【請求項５】
前記フィルター枠本体におけるフィルター外周枠の外周部表面にはサテンや梨地等の粗い凹凸面を有した回転防止用仕上げ部が設けられており、該回転防止用仕上げ部が設けられた前記フィルター外周枠の外周部には前記外周部カバー部材が塗布又は貼着されていることを特徴とする請求項１乃至請求項３のいずれかに記載されたデジタルカメラ用の多機能付きフィルター枠。
【請求項６】
前記フィルター枠本体におけるフィルター外周枠の外周部表面にはリング形状の凸部形状溝やリング形状の凹部形状溝を設けて抜け止め及び回転防止部が設けられており、該抜け止め及び回転防止部が設けられた前記フィルター外周枠の外周部には前記外周部カバー部材が塗布又は固着されていることを特徴とする請求項１乃至請求項３のいずれかに記載されたデジタルカメラ用の多機能付きフィルター枠。
【請求項７】
前記フィルター枠本体におけるフィルター外周枠の外周部にはリング形状の凹部刻設溝が設けられており、該リング形状の凹部刻設溝が設けられた前記フィルター外周枠の外周部には前記外周部カバー部材がフィルター外周部の外周部より突設して塗布又は嵌着固定されていることを特徴とする請求項１乃至請求項３のいずれかに記載されたデジタルカメラ用の多機能付きフィルター枠。
【発明の詳細な説明】
【技術分野】
【０００１】
本発明は、デジタルカメラのレンズ鏡筒先端部に装着されて使用される多機能付きフィルター枠に関するものである。
【０００２】
特に本発明は、フィルター枠に衝撃緩衝機能を設けてフィルター枠やカメラレンズ鏡筒を衝撃から守ることができるものであり、該フィルター枠をカメラレンズ鏡筒先端部に装着して撮影現場への移動中や撮影中において、そのレンズ鏡筒先端部が堅いものにぶつかった場合などにフィルター枠が緩衝材となりカメラレンズの光軸を狂わせないようにするためのものである。
【０００３】
また、本発明は、フィルター枠を薄型形状に構成しケラレ現象が生じにくいタイプのフィルター枠とした場合において、該薄型形状のフィルター枠をレンズ鏡筒先端部へ装着する際に、指先にて挟持するフィルター枠の外周部が滑りにくく、フィルター枠の着脱操作がしやすいフィルター枠を提供するものであり、更に、本発明は、レンズ鏡等先端部に装着されたフィルター枠をレンズ鏡筒先端部より取外しする際にフィルター枠自体を空回りさせることなく取外し操作が容易に行えるように構成したデジタルカメラ用の多機能付きフィルター枠を提供するものである。
【背景技術】
【０００４】
デジタルカメラ用のフィルターとは、カメラレンズ鏡筒の先端部に装着して光を吸収したり、透過させたり、或いは光に変化を与え、また光を制御してカメラ本体内の撮像素子（光学センサ）に送り込む役目をはたすものであり、フィルター枠とは上述した各種機能を有するフィルターレンズを内蔵する枠体のことである。そして、フィルター枠に内蔵されるフィルターレンズは、レンズ保護用のフィルター、偏光フィルター、光量調整フィルターと光条効果フィルターや被写体を柔らかく表現できるソフトフォーカス用フィルター等がある。
【０００５】
斯して、本発明の如くカメラのレンズ鏡筒の先端部に衝撃緩衝機能付きのフィルター枠として装着され、該フィルター枠が、撮影現場への移動中や撮影中にそのレンズ鏡筒先端部が堅いものにぶつかった場合などにフィルター枠が衝撃緩衝材となりカメラレンズの光軸を狂わせないように機能するフィルター枠は、従来装置として提供されていない。
【０００６】
然しながら、前記各種のフィルターレンズを保持するフィルター枠は、例えば特開２００５−３０１１７３号公報（以下、特許文献１と称する）に示す如く、広角レンズやズームレンズや望遠レンズに装着されてもケラレにくい薄型のフィルター枠として開示されている。
【０００７】
特許文献１の発明において、フィルターレンズを装着するフィルター外周枠は、該フィルター外周枠の前面に他の光学系アタッチメント螺合用雌ネジ部を有し、該雌ネジ外筒側が装着されるカメラレンズ鏡筒より僅かに前面に突出した形状を有し、また該フィルター外周枠の後方にはカメラレンズ鏡筒先端部に螺合連結される雄ネジ部を有しており、前記フィルターレンズはできるだけ後方に配置し、前記雄ネジ部が構成する雄ネジ外筒と共にカメラのレンズ鏡筒内に配置したことでフィルター枠の外周枠が薄型に構成できたフィルター枠を提供している。
【０００８】
そして、特許文献１の発明は、フィルターの外周枠の外周部に刻設したローレット加工部と外周枠小口面取り縁部に刻設したローレットピッチの異なるローレット加工部を刻設することにより薄型でありながらレンズ鏡筒先端部へのフィルター枠着脱操作がしやすいフィルター枠が提供できるものとしている。
【０００９】
然しながら、薄型のフィルター外周枠の外周部にフィルター枠の着脱操作がしやすいようにローレット加工部を刻設すること、並びに外周枠小口面取り縁部にローレットピッチの異なるローレット加工部を刻設する加工などは、精密機械による微細加工となってしまい、製品製作コストを大幅にアップさせてしまう欠点を生じせしめている。
【００１０】
また、カメラレンズ鏡筒先端部へのフィルター枠の装着は、レンズ鏡筒先端部の内径部に螺設されたアタッチメント螺着用の雌ネジに、フィルター枠外径部に螺設された雄ネジを螺合により装着することになり、ネジ同士が固く嵌着してしまいフィルター枠をレンズ鏡筒先端部より取外しする際に、前記ローレット加工部を指先で挟持しても取外し操作が行えない場合が生じる欠点を有している。そして、この欠点は、ケラレにくい薄型のフィルター枠を提供する場合には、解決しなくてはならない重要課題でもある。
【００１１】
斯して、本発明は、デジタルカメラ用の多機能付きフィルター枠に関するものであり、カメラのレンズ鏡筒の先端部に衝撃緩衝機能付きのフィルター枠として装着され、該フィルター枠が、撮影現場への移動中や撮影中にそのレンズ鏡筒先端部が堅いものにぶつかった場合などに、フィルター枠がフィルター枠自体やカメラレンズ鏡筒の緩衝材となりカメラレンズの光軸を狂わせないようにするためのものである。
【００１２】
また、本発明は、フィルター枠を薄型形状に構成してケラレ現象が発生にくいタイプのフィルター枠となした場合においても、該薄型形状のフィルター枠をレンズ鏡筒先端部へ装着する際に、指先にて挟持するフィルター枠の外周部が滑りにくく、フィルター枠の着脱操作がしやすいフィルター枠を提供するものであり、特に本発明は、レンズ鏡等先端部に装着されたフィルター枠をレンズ鏡筒先端部より取外しする際にフィルター枠自体を空回りさせることなく取外し操作が容易に行えるように構成したデジタルカメラ用の多機能付きフィルター枠を提供するものである。
【先行技術文献】
【特許文献】
【００１３】
【特許文献１】特開２００５−３０１１７３号公報
【発明の概要】
【発明が解決しようとする課題】
【００１４】
本発明におけるフィルター枠は、カメラのレンズ鏡筒の先端部に衝撃緩衝機能付きのフィルター枠として装着され、該フィルター枠が撮影現場への移動中や撮影中にそのレンズ鏡筒先端部が堅いものにぶつかった場合などにフィルター枠の先端部分や外周部分が衝撃緩衝材となりカメラレンズの光軸を狂わせないようにするためのものである。
【００１５】
また、本発明は、フィルター枠を薄型形状に構成しケラレ現象が生じにくいタイプのフィルター枠とした場合において、該薄型形状のフィルター枠をレンズ鏡筒先端部へ装着する際に、指先にて挟持するフィルター枠の外周部が滑りにくく、フィルター枠の着脱操作がしやすいフィルター枠を提供するものであり、更に、本発明は、レンズ鏡等先端部に装着されたフィルター枠をレンズ鏡筒先端部より取外しする際にフィルター枠自体を空回りさせることなく取外し操作が容易に行えるように構成したデジタルカメラ用の多機能付きフィルター枠を提供するものである。
【課題を解決するための手段】
【００１６】
本発明は、カメラレンズ鏡筒の入射光側先端部に設けられるフィルター枠本体は光軸を中心に各種機能を有するフィルターレンズを挟持したフィルター嵌着縁部を有しており、該フィルター嵌着縁部は前記フィルター枠本体の内径部に内蔵され又フィルター枠本体の外周部には前記フィルター嵌着縁部と一体形成されたフィルター外周枠を形成し、該フィルター外周枠の外部側を柔らかい熱硬化性エラストマー或いは熱可塑性エラストマーにて被覆して外周部カバー部材を形成し、該外周部カバー部材にて前記フィルター枠本体並びにカメラレンズ鏡筒の衝撃緩衝機能を保有すると共にフィルター枠本体をレンズ鏡筒先端部に装着又は取外しする際にフィルター枠本体の外周部カバー部材を指先で挟持して空回りさせることなく装着及び取外し操作が容易に行えるよう構成したデジタルカメラ用の多機能付きフィルター枠である。
【００１７】
また、本発明において、前記フィルター枠本体は、アルミニュウム又は真鍮等の金属製或いは高分子弾性体により成形加工され、該フィルター枠本体のフィルター外周枠に被覆される外周部カバー部材は熱硬化性エラストマーと称される天然ゴム又は合成ゴムを使用し、或いは熱硬化性樹脂系エラストマーと称されるシリコーンゴム又はフッ素ゴムやウレタンゴムを使用し、或いは熱可塑性エラストマーと称されるゴム状弾性体を使用して形成加工されているものである。
【００１８】
更に、本発明において、前記フィルター枠本体は、アルミニュウム又は真鍮等の金属製、或いは高分子弾性体により成形加工され、該フィルター枠本体のフィルター外周枠に被覆される外周部カバー部材は熱硬化性エラストマーと称される合成ゴムを使用し、該合成ゴムを溶剤に溶かして液体ゴムを形成し、該液体ゴムをフィルター外周枠の外部側に積層塗布して外周部カバー部材を形成しているものである。
【００１９】
そして、本発明において、前記フィルター枠本体におけるフィルター外周枠の外周部には、等分割位置や任意間隔で回転防止用切欠き部が設けられており、該回転防止用切欠き部が設けられた前記フィルター外周枠の外周部には前記外周部カバー部材が塗布又は固着されているフィルター枠を構成しても良い。
【００２０】
また、本発明の前記フィルター枠本体におけるフィルター外周枠の外周部表面には、サテンや梨地等の粗い凹凸面を有した回転防止用仕上げ部が設けられており、該回転防止用仕上げ部が設けられた前記フィルター外周枠の外周部には前記外周部カバー部材が塗布、又は貼着されているフィルター枠を構成しても良い。
【００２１】
更に、本発明の前記フィルター枠本体におけるフィルター外周枠の外周部表面には、リング形状の凸部形状溝やリング形状の凹部形状溝を設けて抜け止め及び回転防止部が設けられており、該抜け止め及び回転防止部が設けられた前記フィルター外周枠の外周部には前記外周部カバー部材が塗布又は固着されているフィルター枠を構成しても良い。
【００２２】
更にまた、本発明の前記フィルター枠本体におけるフィルター外周枠の外周部には、リング形状の凹部刻設溝が設けられており、該リング形状の凹部刻設溝が設けられた前記フィルター外周枠の外径部には前記外周部カバー部材がフィルター外周枠の外周部より突設して塗布又は嵌着固定されているフィルター枠を構成しても良い。
【発明の効果】
【００２３】
斯して、本発明におけるフィルター枠は、カメラのレンズ鏡筒の先端部に衝撃緩衝機能付きのフィルター枠として装着され、該フィルター枠が撮影現場への移動中や撮影中にそのレンズ鏡筒先端部が堅いものにぶつかった場合などにフィルター枠の先端部分や外周部分が衝撃緩衝材となりカメラレンズの光軸を狂わせないように保護することができるものである。
【００２４】
また、本発明は、フィルター枠を薄型形状に構成してケラレ現象が生じにくいタイプのフィルター枠となした場合においても、該薄型形状のフィルター枠をレンズ鏡筒先端部へ装着するに際して、指先にて挟持するフィルター枠の外周部を滑りにくく構成し、フィルター枠の着脱操作がしやすいフィルター枠を提供することが可能となり、特に本発明は、レンズ鏡等先端部に装着されたフィルター枠をレンズ鏡筒先端部より取外しする際にフィルター枠自体を空回りさせることなく取外し操作が容易に行えるようにしたデジタルカメラ用の多機能付きフィルター枠を提供可能にした。
【００２５】
そして、本発明の多機能付きフィルター枠は、広角レンズやズームレンズ、そして望遠レンズ等の先端部に装着されてもケラレにくい薄型のフィルター枠として構成でき、該薄型のフィルター枠は、従来装置のごとく着脱操作がしやすいようにローレット加工部をフィルター外周部や小口面取り縁部に刻設する必要もなく、製品製作コストを安価にするものである。
【図面の簡単な説明】
【００２６】
【図１】本発明のフィルター枠装着部を示す外観図。
【図２】（Ａ）実施例１を説明する正面図。           （Ｂ）実施例１を説明する側断面図。           （Ｃ）図２（Ｂ）におけるＡ−Ａ拡大図。
【図３】（Ａ）実施例１の他例を説明する正面図。           （Ｂ）図３（Ａ）の側断面図。           （Ｃ）図３（Ｂ）におけるＡ−Ａ拡大図。
【図４】（Ａ）実施例１の他例を説明する正面図。           （Ｂ）図４（Ａ）の側断面図。           （Ｃ）図４（Ｂ）におけるＡ−Ａ拡大図。
【図５】（Ａ）実施例２を説明する正面図。（Ｂ）図５（Ａ）の側断面図。（Ｃ）図５（Ｂ）におけるＢ−Ｂ拡大図。
【図６】（Ａ）実施例２の他例を説明する正面図。（Ｂ）図６（Ａ）の側断面図。（Ｃ）図６（Ｂ）におけるＢ−Ｂ拡大図。
【図７】（Ａ）実施例３を説明する正面図。（Ｂ）図７（Ａ）の側断面図。（Ｃ）図７（Ｂ）におけるＣ−Ｃ拡大図。
【図８】（Ａ）実施例３の他例を説明する正面図。（Ｂ）図８（Ａ）の側断面図。（Ｃ）図８（Ｂ）におけるＣ−Ｃ拡大図。
【図９】（Ａ）実施例４を説明する正面図。（Ｂ）図９（Ａ）の側断面図。（Ｃ）図９（Ｂ）におけるＤ−Ｄ拡大図。
【発明を実施するための形態】
【００２７】
本発明は、デジタルカメラのレンズ鏡筒先端部に装着されて使用される多機能付きフィルター枠に関するものである。
【００２８】
特に本発明は、フィルター枠に衝撃緩衝機能を設けてフィルター枠やカメラレンズ鏡筒を衝撃から守ることができるものであり、該フィルター枠が撮影現場への移動中や撮影中にそのレンズ鏡筒先端部が堅いものにぶつかった場合などにフィルター枠が緩衝材となりカメラレンズの光軸を狂わせないようにするためのものである。
【００２９】
また、本発明は、フィルター枠を薄型形状に構成しケラレ現象が生じにくいタイプのフィルター枠とした場合において、該薄型形状のフィルター枠をレンズ鏡筒先端部へ装着する際に、指先にて挟持するフィルター枠の外周部が滑りにくく、フィルター枠の着脱操作がしやすいフィルター枠を提供するものであり、更に、本発明は、レンズ鏡等先端部に装着されたフィルター枠をレンズ鏡筒先端部より取外しする際にフィルター枠自体を空回りさせることなく取外し操作が容易に行えるように構成したデジタルカメラ用の多機能付きフィルター枠を提供するものである。
【００３０】
更に、本発明のフィルター枠本体はアルミニュウム、又は真鍮等の金属製、或いは高分子弾性体により成形加工され、該フィルター枠本体のフィルター外周枠に被覆される外周部カバー部材は、熱硬化性エラストマーや熱硬化性樹脂系エラストマー、並びに熱可塑性エラストマー等を加工して使用している。
【００３１】
而して、本発明のフィルター枠本体に用いられる高分子弾性体とは、高分子弾性体からなる合成樹脂、即ち、熱硬化性樹脂や熱可塑性樹脂、並びに合成樹脂を用いた繊維強化プラスチックスなどの複合材料を成形加工して製作されるものである。
【００３２】
本発明において、熱可塑性樹脂とは、ガラス転移温度、または融点まで加熱することによって柔らかくなり、目的の形に成形加工できる樹脂で、一般的に熱可塑性樹脂は、切削、研削等の機械加工がしにくい事が多く、加熱し軟化したところで金型に押し込み、冷やして固化させる射出成型加工などが広く用いられており、熱可塑性樹脂を用途により分類すると、熱可塑性エラストマーと呼ばれるシリコーンゴムやフッ素ゴム、汎用プラスチックスやエンジニアリング・プラスチック、並びにスーパーエンジニアリングプラスチックなどである。
【００３３】
本発明において使用される前記汎用プラスチックスには、ポリエチレン（ＰＥ）、ポリプロピレン（ＰＰ）、ポリ塩化ビニル（ＰＶＣ）、ポリスチレン（ＰＳ）、ポリテトラフルオロエチレン（ＰＴＦＥ）、ＡＢＳ樹脂、アクリル樹脂などがある。
【００３４】
また、本発明において使用される前記エンジニアリング・プラスチックスには、ポリアミド（ＰＡ）、ポリアセタール（ＰＯＭ）、ポリカーボネート（ＰＣ）、ポリブチレンテレフタレート（ＰＢＴ）、ポリエチレンテレフタレート（ＰＥＴ）、グラスファイバー強化ポリエチレンテレフタレート（ＧＦ−ＰＥＴ）などがある。
【００３５】
更に、本発明において使用される前記スーパーエンジニアリング・プラスチックスには、ポリフェニレンスルファイド（ＰＰＳ）、ポリテトラフロロエチレン（ＰＴＦＥ）、ポリスルホン（ＰＳＦ）、ポリエーテルサルフォン（ＰＥＳ）、非晶ポリアリレート（ＰＡＲ）、液晶ポリマー（ＬＣＰ）、熱可塑性ポリイミド（ＰＩ）、ポリアミドイミド（ＰＡＩ）などがある。
【００３６】
そして、本発明において使用される合成樹脂を用いた繊維強化プラスチックスなどの複合材料としては、ガラス繊維強化プラスチックス（ＧＦＲＰ）や炭素繊維強化プラスチックス（ＣＦＲＰ）などがある。
【００３７】
斯して、本発明におけるフィルター枠本体の外周部、即ち、フィルター外周枠に被覆される外周部カバー部材は、熱硬化性エラストマーと称される比較的耐熱性が高い一般的にゴムと呼ばれる天然ゴム、又は合成ゴムを示している。また、前記フィルター外周枠に被覆される外周部カバー部材は、熱硬化性樹脂系エラストマーと称されるシリコーンゴム、又はフッ素ゴムやウレタンゴムを示している。
【００３８】
そして、本発明における他実施例として、前記外周部カバー部材は、熱可塑性エラストマーと称されるゴム状弾性体が使用される他、フィルター外周枠に被覆される外周部カバー部材は熱硬化性エラストマーと称される合成ゴムを使用し、該合成ゴムを溶剤に溶かして液体ゴムを形成し、該液体ゴムを外周部カバー部材に積層塗布する構成でもよい。
【００３９】
本発明におけるフィルター枠は、カメラのレンズ鏡筒の先端部に衝撃緩衝機能付きのフィルター枠として装着され、該フィルター枠が撮影現場への移動中や撮影中にそのレンズ鏡筒先端部が堅いものにぶつかった場合などにフィルター枠の先端部分や外周部分が衝撃緩衝材となりカメラレンズの光軸を狂わせないようにするためのものである。
【００４０】
また、本発明は、フィルター枠を薄型形状に構成しケラレ現象が生じにくいタイプのフィルター枠とした場合において、該薄型形状のフィルター枠をレンズ鏡筒先端部へ装着する際に、指先にて挟持するフィルター枠の外周部が滑りにくく、フィルター枠の着脱操作がしやすいフィルター枠を提供するものであり、更に、本発明は、レンズ鏡等先端部に装着されたフィルター枠をレンズ鏡筒先端部より取外しする際にフィルター枠自体を空回りさせることなく取外し操作が容易に行えるように構成したデジタルカメラ用の多機能付きフィルター枠を提供するものである。
【００４１】
本発明において、カメラレンズ鏡筒の入射光側先端部に設けられるフィルター枠本体は、光軸を中心に各種機能を有するフィルターレンズを挟持したフィルター嵌着縁部を有しており、該フィルター嵌着縁部は前記フィルター枠本体の内径部に内蔵され又フィルター枠本体の外周部には前記フィルター嵌着縁部と一体形成されたフィルター外周枠を形成し、該フィルター外周枠の外周部を柔らかい熱硬化性エラストマー或いは熱可塑性エラストマーにて被覆して外周部カバー部材を形成し、該外周部カバー部材にて前記フィルター枠本体、並びにカメラレンズ鏡筒の衝撃緩衝機能を保有すると共にフィルター枠本体をレンズ鏡筒先端部に装着または取外しする際にフィルター枠本体の外周部カバー部材を指先で挟持して空回りさせることなく装着及び取外し操作が容易に行えるよう構成したことが好ましい。
【００４２】
また、本発明における前記フィルター枠本体は、アルミニュウム又は真鍮等の金属製、或いは高分子弾性体により成形加工され、該フィルター枠本体のフィルター外周枠に被覆される外周部カバー部材は熱硬化性エラストマーと称される天然ゴム又は合成ゴムを使用し、或いは熱硬化性樹脂系エラストマーと称されるシリコーンゴム又はフッ素ゴムやウレタンゴムを使用し、或いは熱可塑性エラストマーと称されるゴム状弾性体を使用して形成加工されていることが好ましい。
【００４３】
更に、本発明における前記フィルター枠本体は、アルミニュウム、又は真鍮等の金属製、或いは高分子弾性体により成形加工され、該フィルター枠本体のフィルター外周枠に被覆される外周部カバー部材は、熱硬化性エラストマーと称される合成ゴムを使用し、該合成ゴムを溶剤に溶かして液体ゴムを形成し、該液体ゴムをフィルター外周枠の外部側に積層塗布して外周部カバー部材を形成していることが好ましい。
【００４４】
そして、本発明において、前記フィルター枠本体におけるフィルター外周部の外部側には、等分割位置や任意間隔で回転防止用切欠き部が設けられており、該回転防止用切欠き部が設けられた前記フィルター外周枠の外部側には前記外周部カバー部材が塗布又は貼着されていることが好ましい。
【００４５】
また、本発明において、前記フィルター枠本体におけるフィルター外周枠の外周部表面には、サテンや梨地等の粗い凹凸面を有した回転防止用仕上げ部が設けられており、該回転防止用仕上げ部が設けられた前記フィルター外周枠の外周部には前記外周部カバー部材が塗布又は固着されていることが好ましい。
【００４６】
更に、本発明において、前記フィルター枠本体におけるフィルター外周枠の外部側表面には、リング形状の凸部形状溝やリング形状の凹部形状溝を設けて抜け止め及び回転防止部が設けられており、該抜け止め及び回転防止部が設けられた前記フィルター外周枠の外部側には前記外周部カバー部材が塗布又は固着されていることが好ましい。
【００４７】
更にまた、本発明において、前記フィルター枠本体におけるフィルター外周枠の外周部にはリング形状の凹部刻設溝が設けられており、該リング形状の凹部刻設溝が設けられた前記フィルター外周枠の外周部には前記外周部カバー部材がフィルター外周枠の外周部より突設して塗布又は嵌着固定されているが好ましい。
【００４８】
斯して、本発明におけるフィルター枠は、カメラのレンズ鏡筒の先端部に衝撃緩衝機能付きのフィルター枠として装着され、該フィルター枠が撮影現場への移動中や撮影中にそのレンズ鏡筒先端部が堅いものにぶつかった場合などにフィルター枠の先端部分や外周部分が衝撃緩衝材となりカメラレンズの光軸を狂わせないように保護することができるものである。
【００４９】
また、本発明は、フィルター枠を薄型形状に構成してケラレ現象が生じにくいタイプのフィルター枠となした場合においても、該薄型形状のフィルター枠をレンズ鏡筒先端部へ装着するに際して、指先にて挟持するフィルター枠の外周部を滑りにくく構成し、フィルター枠の着脱操作がしやすいフィルター枠を提供することが可能となり、特に本発明は、レンズ鏡等先端部に装着されたフィルター枠をレンズ鏡筒先端部より取外しする際にフィルター枠自体を空回りさせることなく取外し操作が容易に行えるようにしたデジタルカメラ用の多機能付きフィルター枠を提供可能にした。
【００５０】
そして、本発明の多機能付きフィルター枠は、広角レンズやズームレンズ、そして望遠レンズ等の先端部に装着されてもケラレにくい薄型のフィルター枠として構成でき、該薄型のフィルター枠は、従来装置のごとく着脱操作がしやすいようにローレット加工部をフィルター外周部や小口面取り縁部に刻設する必要もなく、製品製作コストを安価にするものである。
【実施例１】
【００５１】
図１は本発明におけるフィルター枠装着部を示す外観図、図２（Ａ）（Ｂ）（Ｃ）は実施例１を説明する正面図、側断面図、並びに要部拡大図であり、図３（Ａ）（Ｂ）（Ｃ）、図４（Ａ）（Ｂ）（Ｃ）は実施例１の他の実施形態を詳説する説明図である。
【００５２】
図１において、１は本発明に係るフィルター枠本体、２はフィルターレンズ、３は前記フィルター枠本体１のカメラレンズ鏡筒側に設けられたフィルター枠装着用の雄ネジ部、４はズームレンズや望遠レンズ等からなるカメラレンズ鏡筒、５はレンズ鏡筒先端部、６はデジタルカメラ本体、そして、Ｃはフィルターレンズの光軸、７はフィルター枠本体１の入射光側、８はフィルター枠本体１のカメラレンズ鏡筒側を示している。
【００５３】
而して、フィルター枠本体１のカメラレンズ鏡筒側８にはフィルター枠装着用の雄ネジ部が螺設されており、対向するカメラレンズ鏡筒４のレンズ鏡筒先端部５の内径部にはフィルター枠本体１の装着用雌ネジ部（図１では図示せず）が螺設されていて、前記フィルター枠本体１はカメラレンズ鏡筒４のレンズ鏡筒先端部５に着脱自在に螺着可能である。
【００５４】
斯くして、本発明の実施例１は、カメラのレンズ鏡筒先端部５に装着されるフィルター枠本体１に衝撃緩衝機能を設けてフィルター枠本体１やカメラレンズ鏡筒４を衝撃から守ることができるものであり、該フィルター枠本体１をカメラのレンズ鏡筒先端部５に装着して撮影現場への移動中や撮影中において、そのレンズ鏡筒先端部５が堅いものにぶつかった場合などにフィルター枠本体１が緩衝材となりカメラレンズの光軸Ｃを狂わせないようにするためのものである。
【００５５】
また、実施例１は、フィルター枠本体１を薄型形状に構成し、ケラレ現象が生じにくいタイプのフィルター枠本体１とした場合において、該薄型形状のフィルター枠本体１をレンズ鏡筒先端部５へ装着する際に、指先にて挟持するフィルター枠本体１の外周部が滑りにくく、フィルター枠本体１の着脱操作がしやすいフィルター枠本体１を提供するものであり、特に実施例１は、レンズ鏡筒先端部５に装着されたフィルター枠本体１をレンズ鏡筒先端部５より取外しする際にフィルター枠本体１の螺着が固くなって、取外し出来なくなる欠点を解消して、フィルター枠本体１自体を空回りさせることなく取外し操作が容易に行えるように構成したフィルター枠本体１を提供するものである。
【００５６】
図２（Ａ）（Ｂ）（Ｃ）において、１はフィルター枠本体、２はフィルターレンズ、３は前記フィルター枠本体１のカメラレンズ鏡筒側８に設けられたフィルター枠装着用の雄ネジ部、９はフィルター枠本体１の入射光側７に設けられた他のアクセサリー装着用の雌ネジ部である。そして、前記フィルター枠本体１は光軸Ｃを中心に各種機能を有するフィルターレンズ２を挟持したフィルター嵌着縁部１０を有し、該フィルター嵌着縁部１０はフィルター枠本体１の内径部１１に内蔵されおり、またフィルター枠本体１の外周部１２には前記フィルター嵌着縁部１０と一体形成されたフィルター外周枠１３が設けられている。
【００５７】
而して、実施例１は、前記フィルター外周枠１３の外部側、即ち、フィルター外周枠１３の小口部１４、並びにフィルター外周枠１３の外周部１２を柔らかい熱硬化性エラストマー或いは熱可塑性エラストマーにて被覆して外周部カバー部材１５ａを形成し、該外周部カバー部材１５ａにて前記フィルター枠本体１、並びにカメラレンズ鏡筒４の衝撃緩衝機能を保有すると共に、フィルター枠本体１をレンズ鏡筒先端部５に装着したり、取外しする際にフィルター枠本体１の外周部カバー部材１５ａを指先で挟持して空回りさせることなく装着、及び取外し操作が容易に行えるよう構成した。
【００５８】
また、前記フィルター枠本体１は、アルミニュウム又は真鍮等の金属製、或いは高分子弾性体により成形加工され、該フィルター枠本体１のフィルター外周枠１３に被覆される外周部カバー部材１５ａは、熱硬化性エラストマーと称される天然ゴム、又は合成ゴムを使用し、或いは熱硬化性樹脂系エラストマーと称されるシリコーンゴム、又はフッ素ゴムやウレタンゴムを使用し、或いは熱可塑性エラストマーと称されるゴム状弾性体を使用してリング状に成型加工し、接着剤を介して前記フィルター外周枠１３の小口部１４、並びにフィルター外周枠１３の外周部１２全体に被覆する如く貼着して衝撃緩衝機能を保有すると共に、フィルター枠本体１と一体化して装着及び取外し操作が指先部で滑動することなく容易に行えるよう構成している。
【００５９】
図３（Ａ）（Ｂ）（Ｃ）は実施例１の他の形態を示すものであり、１はフィルター枠本体、２はフィルターレンズ、３は前記フィルター枠本体１のカメラレンズ鏡筒側８に設けられたフィルター枠装着用の雄ネジ、９はフィルター枠本体１の入射光側７に設けられたアクセサリー装着用の雌ネジ部である。そして、前記フィルター枠本体１は光軸Ｃを中心に各種機能を有するフィルターレンズ２を挟持したフィルター嵌着縁部１０を有し、該フィルター嵌着縁部１０はフィルター枠本体１の内径部１１に内蔵されおり、またフィルター枠本体１の外周部１２には前記フィルター嵌着縁部１０と一体形成されたフィルター外周枠１３が設けられている。
【００６０】
而して、実施例１の他の形態は、フィルター枠本体１をアルミニュウム、又は真鍮等の金属製、或いは高分子弾性体により成形加工して製作し、該フィルター枠本体１のフィルター外周枠１３に被覆される外周部カバー部材１５ｂは熱硬化性エラストマーと称される合成ゴムを使用し、該合成ゴムを例えばエチルシクロヘキサンやメチルイソプチルクトン等の溶剤に溶かして液体ゴムを形成し、該液体ゴムを前記フィルター外周枠１３の小口部１４、並びにフィルター外周枠１３の外周部１２に塗布積層して外周部カバー部材１５ｂを形成している。
【００６１】
また、前記フィルター枠本体１におけるフィルター外周枠１３の外周部１２には、図３、図４に示す如く等分割位置や任意間隔で回転防止用切欠き部１６ａ、１６ｂ、１６ｃ・・・が設けられており、該回転防止用切欠き部１６ａ、１６ｂ、１６ｃ・・・が設けられた前記フィルター外周枠１３の外周部１２には前記外周部カバー部材１５ｂが塗布、又は貼着されて外周部カバー部材１５ｂを形成している構成も可能である。
【００６２】
更に、前記フィルター枠本体１におけるフィルター外周枠１３の外周部１２表面には（図２乃至図４にて実施可能）、サテンや梨地等の粗い凹凸面を有した回転防止用仕上げ部（表面形状につき図示せず）が設けられており、該回転防止用仕上げ部が設けられた前記フィルター外周枠１３の外周部１２には前記外周部カバー部材１５が塗布、又は貼着されて外周部カバー部材１５ｂを形成している構成も可能である。
【００６３】
そして、実施例１の他の形態を示す図３及び図４において、前記フィルター枠本体１のフィルター外周枠１３の外周部１２表面にはリング形状の凸部形状溝１７やリング形状の凹部形状溝１８を設けて抜け止め及び回転防止部１９が設けられており、該抜け止め及び回転防止部１９が設けられた前記フィルター外周枠１３の外周部１２には前記外周部カバー部材１５ａや外周部カバー部材１５ｂが貼着、又は塗布積層されている構成も可能である。
【００６４】
斯くして、実施例１においては、上述した構成を実施することにより、フィルター枠本体が、カメラのレンズ鏡筒の先端部に衝撃緩衝機能付きのフィルター枠として装着され、該フィルター枠が撮影現場への移動中や撮影中にそのレンズ鏡筒先端部が堅いものにぶつかった場合などにフィルター枠の先端部分や外周部分が衝撃緩衝材となりカメラレンズの光軸を狂わせないように保護することができるものである。
【００６５】
また、本発明は、フィルター枠本体を薄型形状に構成してケラレ現象が生じにくいタイプのフィルター枠となした場合においても、該薄型形状のフィルター枠をレンズ鏡筒先端部へ装着するに際して、指先にて挟持するフィルター枠の外周部を滑りにくく構成し、フィルター枠の着脱操作がしやすいフィルター枠を提供することが可能となり、特に本発明は、レンズ鏡等先端部に装着されたフィルター枠をレンズ鏡筒先端部より取外しする際にフィルター枠自体を指先にてしっかりと挟持することができ、取外し操作が空回りすることなく確実且つ容易に行えるようにしたデジタルカメラ用の多機能付きフィルター枠を提供可能にした。
【００６６】
そして、本発明の多機能付きフィルター枠は、広角レンズやズームレンズ、そして望遠レンズ等の先端部に装着されてもケラレにくい薄型のフィルター枠として構成でき、該薄型のフィルター枠は、従来装置のごとく着脱操作がしやすいようにローレット加工部をフィルター外周部や小口面取り縁部に刻設する必要もなく、製品製作コストを安価にするものである。
【実施例２】
【００６７】
図５（Ａ）（Ｂ）（Ｃ）は実施例２を説明する正面図、側断面図、並びに要部拡大図であり、図６（Ａ）（Ｂ）（Ｃ）は実施例２の他の実施形態を詳説する説明図である。
【００６８】
図５（Ａ）（Ｂ）（Ｃ）において、１はフィルター枠本体、２はフィルターレンズ、３は前記フィルター枠本体１のカメラレンズ鏡筒側８に設けられたフィルター枠装着用の雄ネジ部、９はフィルター枠本体１の入射光側７に設けられた他のアクセサリー装着用の雌ネジ部である。そして、前記フィルター枠本体１は光軸Ｃを中心に各種機能を有するフィルターレンズ２を挟持したフィルター嵌着縁部１０を有し、該フィルター嵌着縁部１０はフィルター枠本体１の内径部１１に内蔵されおり、またフィルター枠本体１の外周部１２には前記フィルター嵌着縁部１０と一体形成されたフィルター外周枠１３が設けられている。
【００６９】
而して、実施例２は、前記フィルター外周枠１３の外部側、即ち、フィルター外周枠１３の小口部１４、並びにフィルター外周枠１３の外周部１２を柔らかい熱硬化性エラストマー或いは熱可塑性エラストマーにて被覆する際に前記フィルター外周部１３に立ち上がり縁部２０を設け、被覆する外周部カバー部材１５ａが前記レンズ鏡筒先端部５に直接接触しないように形成し、該外周部カバー部材１５ａにて前記フィルター枠本体１、並びにカメラレンズ鏡筒４の衝撃緩衝機能を保有すると共に、フィルター枠本体１をレンズ鏡筒先端部５に装着したり、取外しする際にフィルター枠本体１の外周部カバー部材１５ａを指先で挟持して空回りさせることなく装着、及び取外し操作が容易に行えるよう構成した。
【００７０】
また、前記フィルター枠本体１は、アルミニュウム又は真鍮等の金属製、或いは高分子弾性体により成形加工され、該フィルター枠本体１のフィルター外周枠１３に被覆される外周部カバー部材１５ａは、熱硬化性エラストマーと称される天然ゴム、又は合成ゴムを使用し、或いは熱硬化性樹脂系エラストマーと称されるシリコーンゴム、又はフッ素ゴムやウレタンゴムを使用し、或いは熱可塑性エラストマーと称されるゴム状弾性体を使用してリング状に成型加工し、接着剤を介して前記フィルター外周枠１３の小口部１４、並びにフィルター外周枠１３の外周部１２に被覆する如く貼着して、衝撃緩衝機能を保有すると共に、フィルター枠本体１と一体化して装着及び取外し操作が指先部で滑動することなく確実且つ容易に行えるよう構成している。
【００７１】
図６（Ａ）（Ｂ）（Ｃ）は実施例２の他の形態を示すものであり、１はフィルター枠本体、２はフィルターレンズ、３は前記フィルター枠本体１のカメラレンズ鏡筒側８に設けられたフィルター枠装着用の雄ネジ、９はフィルター枠本体１の入射光側７に設けられたアクセサリー装着用の雌ネジ部である。そして、前記フィルター枠本体１は光軸Ｃを中心に各種機能を有するフィルターレンズ２を挟持したフィルター嵌着縁部１０を有し、該フィルター嵌着縁部１０はフィルター枠本体１の内径部１１に内蔵されおり、またフィルター枠本体１の外周部１２には前記フィルター嵌着縁部１０と一体形成されたフィルター外周枠１３が設けられている。
【００７２】
而して、図６にしめす実施例２の他の形態は、フィルター枠本体１をアルミニュウム、又は真鍮等の金属製、或いは高分子弾性体により成形加工して製作し、該フィルター枠本体１のフィルター外周枠１３に被覆される外周部カバー部材１５ｂは熱硬化性エラストマーと称される合成ゴムを使用し、該合成ゴムを例えばエチルシクロヘキサンやメチルイソプチルクトン等の溶剤に溶かして液体ゴムを形成し、該液体ゴム前記フィルター外周枠１３の小口部１４、並びにフィルター外周枠１３の外周部１２の立ち上がり縁部２０を除いた部分に積層塗布して外周部カバー部材１５ｂを形成している。即ち、即ち、フィルター外周枠１３の外周部１２部分に設けられる立ち上がり縁部２０は、被覆する外周部カバー部材１５ａ、１５ｂを前記レンズ鏡筒先端部５に装着する際に直接接触しないように形成し、フィルター枠本体１の装着及び取外し操作が容易に行えるよう構成しているものである。尚、図６において１６ａ、１６ｂ、１６ｃ・・・は等分割位置や任意間隔で設けられた回転防止用の切欠き部である。
【００７３】
そして、実施例２の他の形態を示す図６において、前記フィルター枠本体１のフィルター外周枠１３の外周部１２表面にはリング形状の凸部形状溝１７を設けて抜け止め及び回転防止部１９が設けられており、該抜け止め及び回転防止部１９が設けられた前記フィルター外周枠１３の外周部１２には前記外周部カバー部材１５ａや外周部カバー部材１５ｂが貼着、又は塗布積層されている構成も可能である。
【実施例３】
【００７４】
図７（Ａ）（Ｂ）（Ｃ）は実施例３を説明する正面図、側断面図、並びに要部拡大図であり、図８（Ａ）（Ｂ）（Ｃ）は実施例３の他の実施形態を詳説する説明図である。
【００７５】
図７（Ａ）（Ｂ）（Ｃ）において、１はフィルター枠本体、２はフィルターレンズ、３は前記フィルター枠本体１のカメラレンズ鏡筒側８に設けられたフィルター枠装着用の雄ネジ部、９はフィルター枠本体１の入射光側７に設けられた他のアクセサリー装着用の雌ネジ部である。そして、前記フィルター枠本体１は光軸Ｃを中心に各種機能を有するフィルターレンズ２を挟持したフィルター嵌着縁部１０を有し、該フィルター嵌着縁部１０はフィルター枠本体１の内径部１１に内蔵されおり、またフィルター枠本体１の外周部１２には前記フィルター嵌着縁部１０と一体形成されたフィルター外周枠１３が設けられている。
【００７６】
而して、実施例３は、前記フィルター外周枠１３の外部側、即ち、フィルター外周枠１３の小口部１４、並びにフィルター外周枠１３の外周部１２を柔らかい熱硬化性エラストマー或いは熱可塑性エラストマーにて被覆する際に前記フィルター外周枠１３にカバー部材切欠き部２１を設け、被覆する外周部カバー部材１５ａが前記レンズ鏡筒先端部５に直接接触しないように形成し、該外周部カバー部材１５ａにて前記フィルター枠本体１、並びにカメラレンズ鏡筒４の衝撃緩衝機能を保有すると共に、フィルター枠本体１をレンズ鏡筒先端部５に装着したり、取外しする際にフィルター枠本体１の外周部カバー部材１５ａを指先で挟持して空回りさせることなく装着、及び取外し操作が確実且つ容易に行えるよう構成した。
【００７７】
また、前記フィルター枠本体１は、アルミニュウム又は真鍮等の金属製、或いは高分子弾性体により成形加工され、該フィルター枠本体１のフィルター外周枠１３に被覆される外周部カバー部材１５ａは、熱硬化性エラストマーと称される天然ゴム、又は合成ゴムを使用し、或いは熱硬化性樹脂系エラストマーと称されるシリコーンゴム、又はフッ素ゴムやウレタンゴムを使用し、或いは熱可塑性エラストマーと称されるゴム状弾性体を使用してリング状に成型加工し、接着剤を介して前記フィルター外周枠１３の小口部１４、並びにフィルター外周枠１３の外周部１２に被覆する如く貼着して衝撃緩衝機能を保有すると共に、フィルター枠本体１と一体化して装着及び取外し操作が指先部で滑動することなく容易に行えるよう構成している。
【００７８】
図８（Ａ）（Ｂ）（Ｃ）は実施例３の他の形態を示すものであり、１はフィルター枠本体、２はフィルターレンズ、３は前記フィルター枠本体１のカメラレンズ鏡筒側８に設けられたフィルター枠装着用の雄ネジ、９はフィルター枠本体１の入射光側７に設けられたアクセサリー装着用の雌ネジ部である。そして、前記フィルター枠本体１は光軸Ｃを中心に各種機能を有するフィルターレンズ２を挟持したフィルター嵌着縁部１０を有し、該フィルター嵌着縁部１０はフィルター枠本体１の内径部１１に内蔵されおり、またフィルター枠本体１の外周部１２には前記フィルター嵌着縁部１０と一体形成されたフィルター外周枠１３が設けられている。
【００７９】
而して、図８に示す実施例３の他の形態は、フィルター枠本体１をアルミニュウム、又は真鍮等の金属製、或いは高分子弾性体により成形加工して製作し、該フィルター枠本体１のフィルター外周枠１３に被覆される外周部カバー部材１５ｂは熱硬化性エラストマーと称される合成ゴムを使用し、該合成ゴムを例えばエチルシクロヘキサンやメチルイソプチルクトン等の溶剤に溶かして液体ゴムを形成し、該液体ゴム前記フィルター外周枠１３の小口部１４、並びにフィルター外周枠１３の外周部１２のカバー部材切欠き部２１を除いた部分に積層塗布して外周部カバー部材１５ｂを形成している。即ち、フィルター外周枠１３の外周部１２部分に設けられるカバー部材切欠き部２１は、被覆する外周部カバー部材１５ａ、１５ｂを前記レンズ鏡筒先端部５に装着する際に直接接触しないように形成し、フィルター枠本体１の装着及び取外し操作が容易に行えるよう構成しているものである。尚、図８において１６ａ、１６ｂ、１６ｃ・・・は等分割位置や任意間隔で設けられた回転防止用の切欠き部である。
【００８０】
そして、実施例３の他の形態を示す図８において、前記フィルター枠本体１のフィルター外周枠１３の外周部１２表面にはリング形状の凸部形状溝１７を設けて抜け止め及び回転防止部１９が設けられており、該抜け止め及び回転防止部１９が設けられた前記フィルター外周枠１３の外周部１２には前記外周部カバー部材１５ａや外周部カバー部材１５ｂが貼着、又は塗布積層されている構成も可能である。
【実施例４】
【００８１】
図９（Ａ）（Ｂ）（Ｃ）は実施例４を説明する正面図、側断面図、並びに要部拡大図である。
【００８２】
図９（Ａ）（Ｂ）（Ｃ）において、１はフィルター枠本体、２はフィルターレンズ、３は前記フィルター枠本体１のカメラレンズ鏡筒側８に設けられたフィルター枠装着用の雄ネジ部、９はフィルター枠本体１の入射光側７に設けられた他のアクセサリー装着用の雌ネジ部である。そして、前記フィルター枠本体１は光軸Ｃを中心に各種機能を有するフィルターレンズ２を挟持したフィルター嵌着縁部１０を有し、該フィルター嵌着縁部１０はフィルター枠本体１の内径部１１に内蔵されおり、またフィルター枠本体１の外周部１２には前記フィルター嵌着縁部１０と一体形成されたフィルター外周枠１３が設けられている。
【００８３】
而して、実施例４におけるフィルター枠本体１はアルミニュウム又は真鍮等の金属製或いは高分子弾性体により成形加工され、該フィルター枠本体１のフィルター外周枠１３に被覆される外周部カバー部材１５は熱硬化性エラストマーと称される天然ゴム又は合成ゴムを使用し、或いは熱硬化性樹脂系エラストマーと称されるシリコーンゴム又はフッ素ゴムやウレタンゴムを使用し、或いは熱可塑性エラストマーと称されるゴム状弾性体を使用して形成加工されており、前記フィルター枠本体１のフィルター外周枠１３の外周部１２にはリング形状の凹部刻設溝２２が設けられており、該リング形状の凹部刻設溝２２が設けられた前記フィルター外周枠１３の外周部１２には前記外周部カバー部材１５がフィルター外周枠１３の外周部１２より突設して嵌着固定されている。尚、図９において１６ａ、１６ｂ、１６ｃ・・・は等分割位置や任意間隔で設けられた回転防止用の切欠き部である。
【００８４】
また、実施例４における他の構成は、フィルター枠本体をアルミニュウム、又は真鍮等の金属製、或いは高分子弾性体により成形加工され、該フィルター枠本体１のフィルター外周枠１３に被覆される外周部カバー部材１５は熱硬化性エラストマーと称される合成ゴムを使用し、該合成ゴムを溶剤に溶かして液体ゴムを形成し、該液体ゴムをフィルター外周枠１３の外周部に積層塗布して外周部カバー部材１５を形成しており、フィルター枠本体１のフィルター外周枠１３の外周部１２にはリング形状の凹部刻設溝２２が設けられており、該リング形状の凹部刻設溝２２が設けられた前記フィルター外周枠１３の外周部１２には前記外周部カバー部材１５がフィルター外周枠１３の外周部１２より突設して積層塗布されている。
【００８５】
従って、実施例４は、前記フィルター外周枠１３の外部側、即ち、フィルター外周枠１３の外周部１２を柔らかい熱硬化性エラストマー或いは熱可塑性エラストマーにて被覆して外形部より突出させた外周部カバー部材１５を形成し、該外周部カバー部材１５にて前記フィルター枠本体１、並びにカメラレンズ鏡筒４の衝撃緩衝機能を保有すると共に、フィルター枠本体１をレンズ鏡筒先端部５に装着したり、取外しする際にフィルター枠本体１の外周部カバー部材１５を指先で挟持して空回りさせることなく装着、及び取外し操作が確実且つ容易に行えるよう構成した。
【００８６】
また、前記フィルター枠本体１は、アルミニュウム又は真鍮等の金属製、或いは高分子弾性体により成形加工され、該フィルター枠本体１のフィルター外周枠１３に被覆される外周部カバー部材１５は、熱硬化性エラストマーと称される天然ゴム、又は合成ゴムを使用し、或いは熱硬化性樹脂系エラストマーと称されるシリコーンゴム、又はフッ素ゴムやウレタンゴムを使用し、或いは熱可塑性エラストマーと称されるゴム状弾性体を使用してリング状に成型加工し、接着剤を介して前記フィルター外周枠１３のリング形状の凹部刻設溝２２に被覆する如く貼着して衝撃緩衝機能を保有すると共に、フィルター枠本体１と一体化して装着及び取外し操作が指先部で滑動することなく容易に行えるものである。
【００８７】
斯して、本発明におけるフィルター枠本体は、カメラのレンズ鏡筒の先端部に衝撃緩衝機能付きのフィルター枠として装着され、該フィルター枠が撮影現場への移動中や撮影中にそのレンズ鏡筒先端部が堅いものにぶつかった場合などにフィルター枠の先端部分や外周部分が衝撃緩衝材となりカメラレンズの光軸を狂わせないように保護することができるものである。
【００８８】
また、本発明は、フィルター枠本体を薄型形状に構成してケラレ現象が生じにくいタイプのフィルター枠となした場合においても、該薄型形状のフィルター枠をレンズ鏡筒先端部へ装着するに際して、指先にて挟持するフィルター枠の外周部を滑りにくく構成し、フィルター枠の着脱操作がしやすいフィルター枠を提供することが可能となり、特に本発明は、レンズ鏡等先端部に装着されたフィルター枠をレンズ鏡筒先端部より取外しする際にフィルター枠自体を空回りさせることなく取外し操作が容易に行えるようにしたデジタルカメラ用の多機能付きフィルター枠を提供可能にした。
【００８９】
そして、本発明の多機能付きフィルター枠は、広角レンズやズームレンズ、そして望遠レンズ等の先端部に装着されてもケラレにくい薄型のフィルター枠として構成でき、該薄型のフィルター枠は、従来装置のごとく着脱操作がしやすいようにローレット加工部をフィルター外周部や小口面取り縁部に刻設する必要もなく、製品製作コストを安価にするものである。
【符号の説明】
【００９０】
１  フィルター枠本体  
２  フィルターレンズ
３  フィルター枠装着用の雄ネジ部
４  カメラレンズ鏡筒
５  レンズ鏡筒先端部
６  デジタルカメラ本体
７  フィルター枠本体の入射光側  
８  フィルター枠本体のカメラレンズ鏡筒側
９  他のアクセサリー装着用の雌ネジ部
１０  フィルター嵌着縁部
１１  内径部
１２  外周部
１３  フィルター外周枠
１４  小口部
１５、１５ａ、１５ｂ  外周部カバー材
１６ａ、１６ｂ、１６ｃ・・・  回転防止用切欠き部
１７  リング形状の凸部形状溝
１８  リング形状の凹部形状溝
１９  抜け止め及び回転防止部
２０  立ち上がり縁部
２１  カバー材切欠き部
２２  凹部刻設溝
Ｃ  光軸
【要約】
【課題】移動中や撮影中のレンズ鏡筒先端部を衝撃より守るための緩衝機能と、レンズ鏡筒先端部に装着されたフィルター枠本体を取外しする際にフィルター枠本体の外周カバー部材を指先で挟持して空回りさせることなく取外し操作が容易に行えるフィルター枠を提供する。
【解決手段】フィルター枠本体の外周部にはフィルター嵌着縁部と一体形成されたフィルター外周枠を形成し、該フィルター外周枠の外部側を比較的柔らかい熱硬化性エラストマー或いは熱可塑性エラストマーにて被覆して外周部カバー部材を形成し、該外周部カバー部材にて前記フィルター枠本体、並びにカメラレンズ鏡筒の衝撃緩衝機能を保有すると共にレンズ鏡筒先端部に装着されたフィルター枠本体を取外しする際にフィルター枠本体の外周カバー部材を指先で挟持して空回りさせることなく取外し操作が容易に行えるように構成した。
【選択図】図２【図１】
0005456872.tif 000002
【図２】
0005456872.tif 000003
【図３】
0005456872.tif 000004
【図４】
0005456872.tif 000005
【図５】
0005456872.tif 000006
【図６】
0005456872.tif 000007
【図７】
0005456872.tif 000008
【図８】
0005456872.tif 000009
【図９】
0005456872.tif 000010